(57)【要約】【課題】  本発明は、相関関係を知りたい相互の情報を基にして検索することにより、相関関係を検索することができるため、これをビジネスに活かしたり、人間の相関関係を知って楽しむことができる。【解決手段】  前記二つのキーワードのうちの他方のキーワードにかかる登録された個人登録アドレスデータを基にして、一方のキーワードにかかる個人登録データべースの全てを検索する。前記検索されたデータは登録され、他方のキーワードにかかる登録されたアドレスデータを基にして、一方の公開データべースの全てから相関関係があるデータを検索する。一方のキーワードにかかる登録されたアドレスデータを基にして、他方の個人登録データべースおよび公開データべースの全てから相関関係があるデータを検索する。【選択図】  図３
2005085172.tif 000002
【特許請求の範囲】
【請求項１】
二つのキーワードを別々に入力することにより、予め登録された個人登録アドレスデータ、個人登録データべース、および個人公開データべースを基にして、前記二つのキーワードに関連する互いの相関関係を求めることができる相関関係検索方法において、
前記二つのキーワードのうちの他方のキーワードにかかる登録された個人登録アドレスデータを基にして、一方の個人登録データべースの全てから相関関係があるデータを検索し、
前記検索によって相関関係がある場合のデータを登録し、
前記一方の個人登録データべースに相関関係のあるデータが検索されたか否かに関係なく、前記二つのキーワードのうちの他方のキーワードにかかる登録された個人登録アドレスデータを基にして、一方の個人公開データべースの全てから相関関係があるデータを検索し、
前記検索によって相関関係がある場合のデータを登録し、
前記一方の個人公開データべースに相関関係のあるデータが検索されたか否かに関係なく、前記二つのキーワードのうちの一方のキーワードにかかる登録された個人登録アドレスデータを基にして、他方の個人登録データべースおよび個人公開データべースの全てから相関関係があるデータを検索し、
前記検索によって相関関係がある場合のデータを登録し、
前記登録されたそれぞれのデータが前記二つのキーワードと相関関係にあるとして検索順に表示することを特徴とする相関関係検索方法。
【請求項２】
二つのキーワードを別々に入力することにより、予め登録された個人登録アドレスデータ、個人登録データべース、および個人公開データべースを基にして、前記二つのキーワードに関連する互いの相関関係を求めることができる相関関係検索方法において、
前記二つのキーワードのうちの他方のキーワードにかかる登録された個人登録アドレスデータを基にして、一方の個人登録データべースの全てから相関関係があるデータを検索し、
前記検索によって相関関係がある場合のデータを登録し、
前記一方の個人登録データべースに相関関係のあるデータが検索されたか否かに関係なく、前記二つのキーワードのうちの一方のキーワードにかかる登録された個人登録アドレスデータを基にして、他方の個人登録データべースの全てから相関関係があるデータを検索し、
前記検索によって相関関係がある場合のデータを登録し、
前記他方の個人登録データべースに相関関係のあるデータが検索されたか否かに関係なく、前記二つのキーワードのうちの他方のキーワードにかかる登録された個人登録アドレスデータを基にして、一方の個人公開データべースの全てから相関関係があるデータを検索し、
前記検索によって相関関係がある場合のデータを登録し、
前記一方の個人公開データべースに相関関係のあるデータが検索されたか否かに関係なく、前記二つのキーワードのうちの一方のキーワードにかかる登録された個人登録アドレスデータを基にして、他方の個人公開データべースの全てから相関関係があるデータを検索し、
前記検索によって相関関係がある場合のデータを登録し、
前記登録されたそれぞれのデータが前記二つのキーワードと相関関係にあるとして検索順に表示することを特徴とする相関関係検索方法。
【請求項３】
二つのキーワードを別々に入力することにより、予め登録された個人登録アドレスデータ、個人登録データべース、および個人公開データべースを基にして、前記二つのキーワードに関連する互いの相関関係を求めることができる相関関係検索方法において、
前記二つのキーワードのうちの一方のキーワードにかかる登録された個人登録アドレスデータを基にして、他方の個人登録データべースの全てから相関関係があるデータを検索し、
前記検索によって相関関係がある場合のデータを登録し、
前記他方の個人登録データべースに相関関係のあるデータが検索されるか否かに関係なく、前記二つのキーワードのうちの一方のキーワードにかかる登録された個人登録アドレスデータを基にして、他方の個人公開データべースの全てから相関関係があるデータを検索し、
前記検索によって相関関係がある場合のデータを登録し、
前記他方の個人公開データべースに相関関係のあるデータが検索されるか否かに関係なく、前記二つのキーワードのうちの他方のキーワードにかかる登録された個人登録アドレスデータを基にして、一方の個人登録データべースおよび個人公開データべースの全てから相関関係があるデータを検索し、
前記検索によって相関関係がある場合のデータを登録し、
前記登録されたそれぞれのデータが前記二つのキーワードと相関関係にあるとして検索順に表示することを特徴とする相関関係検索方法。
【請求項４】
二つのキーワードおよび前記二つのキーワードに関連するそれぞれの検索データを別々に入力することにより、個人登録データべースおよび個人公開データべースを基にして、前記二つのキーワードに関連する互いの相関関係を求めることができる相関関係検索方法において、
前記二つのキーワードのうちの他方または一方のキーワードに関連する検索データを入力し、前記検索データを基にして、一方または他方の個人登録データべースおよび個人公開データべースの全てから相関関係があるデータを検索し、
前記検索によって相関関係がある場合のデータを登録し、
前記登録されたそれぞれのデータが前記二つのキーワードと相関関係にあるとして検索順に表示することを特徴とする相関関係検索方法。
【請求項５】
前記検索順に表示される検索結果には、検索の際の相関関係が付けられて表示されることを特徴とする請求項１ないし請求項４のいずれか１項に記載された相関関係検索方法。
【請求項６】
前記個人登録アドレスデータのキーワードは、人名、会社名、役職名、職業名、商品名、物質名、あるいは相関関係を表す言葉の中の一つであることを特徴とする請求項１ないし請求項５のいずれか１項に記載された相関関係検索方法。
【請求項７】
前記個人登録アドレスデータは、二つのキーワードを入力する際に、それぞれのキーワードを確認するために表示画面に表示できることを特徴とする請求項１ないし請求項６のいずれか１項に記載された相関関係検索方法。
【請求項８】
前記個人登録アドレスデータは、表示画面をみながら変更することができることを特徴とする請求項１ないし請求項７のいずれか１項に記載された相関関係検索方法。
【請求項９】
相関関係を検索するための二つのキーワードを別々に入力する入力手段と、
検索された少なくとも一つの相関関係を表示するディスプレイと、
インターネットに接続し、情報の交換が可能な接続手段と、
を少なくとも有する情報処理手段；
個人登録アドレスデータ、個人登録データべース、および個人公開データべースをそれぞれを別にして蓄積するデータべース格納手段と、
前記入力手段によって入力された二つのキーワードの他方の個人登録アドレスデータに関連するデータを基にして、一方の個人登録データべースおよび一方の個人公開データべースの順に相関関係を全て検索し、前記二つのキーワードの一方の個人登録アドレスデータに関連するデータを基にして、他方の個人登録データべースおよび他方の個人公開データべースの順に相関関係の全てを検索する相関関係検索手段と、
前記相関関係検索手段によって検索されたそれぞれの相関関係データを登録する相関関係登録手段と、
を少なくとも有することを特徴とする相関関係検索エンジン；
前記情報処理手段および前記相関関係検索エンジンに接続することができるネットワーク；
から構成されていることを特徴とする相関関係検索システム。
【請求項１０】
相関関係を検索するための二つのキーワードを別々に入力する入力手段と、
検索された少なくとも一つの相関関係を表示するディスプレイと、
インターネットに接続し、情報の交換が可能な接続手段と、
を少なくとも有する情報処理手段；
個人登録アドレスデータ、個人登録データべース、および個人公開データべースをそれぞれ別にして蓄積するデータべース格納手段と、
前記入力手段によって入力された二つのキーワードの他方の個人登録アドレスデータに関連するデータを基にして、一方の個人登録データべースを全て検索し、前記二つのキーワードの一方の個人登録アドレスデータに関連するデータを基にして、他方の個人登録データべースを全て検索し、前記二つのキーワードの他方の個人登録アドレスデータに関連するデータを基にして、一方の個人公開データべースを全て検索し、前記二つのキーワードの一方の個人登録アドレスデータに関連するデータを基にして、他方の個人公開データべースを全て検索して、相関関係を検索する相関関係検索手段と、
前記相関関係検索手段によって検索されたそれぞれの相関関係データを登録する相関関係登録手段と、
を少なくとも有することを特徴とする相関関係検索エンジン；
前記情報処理手段および前記相関関係検索エンジンに接続することができるネットワーク；
から構成されていることを特徴とする相関関係検索システム。
【請求項１１】
相関関係を検索するための二つのキーワードを別々に入力する入力手段と、
検索された少なくとも一つの相関関係を表示するディスプレイと、
インターネットに接続し、情報の交換が可能な接続手段と、
を少なくとも有する情報処理手段；
個人登録アドレスデータ、個人登録データべース、および個人公開データべースをそれぞれ別にして蓄積するデータべース格納手段と、
前記入力手段によって入力された二つのキーワードの一方の個人登録アドレスデータに関連するデータを基にして、他方の個人登録データべースおよび他方の個人公開データべースを全て検索し、前記二つのキーワードの他方の個人登録アドレスデータに関連するデータを基にして、一方の個人登録データべースおよび一方の個人公開データべースの順に相関関係を全て検索する相関関係検索手段と、
前記相関関係検索手段によって検索されたそれぞれの相関関係データを登録する相関関係登録手段と、
を少なくとも有することを特徴とする相関関係検索エンジン；
前記情報処理手段および前記相関関係検索エンジンに接続することができるネットワーク；
から構成されていることを特徴とする相関関係検索システム。
【請求項１２】
相関関係を検索するための二つのキーワードおよび前記二つのキーワードに関連するそれぞれの検索データを別々に入力する入力手段と、
検索された少なくとも一つの相関関係を表示するディスプレイと、
インターネットに接続し、情報の交換が可能な接続手段と、
を少なくとも有する情報処理手段；
前記二つのキーワードに関連するそれぞれの検索データ、個人登録アドレスデータ、個人登録データべース、および個人公開データべースをそれぞれ別にして蓄積するデータべース格納手段と、
前記入力手段によって入力された二つのキーワードの他方または一方に関連する検索データを基にして、一方または他方の個人登録データべース、および一方または他方の個人公開データべースを全て検索する相関関係検索手段と、
前記相関関係検索手段によって検索されたそれぞれの相関関係データを登録する相関関係登録手段と、
を少なくとも有することを特徴とする相関関係検索エンジン；
前記情報処理手段および前記相関関係検索エンジンに接続することができるネットワーク；
から構成されていることを特徴とする相関関係検索システム。
【請求項１３】
検索された相関関係の結果の数を設定する設定手段と、
前記設定手段によって設定された相関関係の数が一定の範囲に達した場合、その検索結果をディスプレイに表示するように制御する相関関係検索手段制御部と、を有することを特徴とする請求項９ないし請求項１２のいずれか１項に記載された相関関係検索システム。
【請求項１４】
検索の際に異なるデータべースに移るステップ数を設定する設定手段と、
前記設定手段によって設定されたステップ数が一定以上に達した場合、その検索結果をディスプレイに表示するように制御する相関関係検索手段制御部と、を有することを特徴とする請求項９ないし請求項１３のいずれか１項に記載された相関関係検索システム。
【発明の詳細な説明】
【技術分野】
【０００１】
本発明は、人と人、会社と会社、あるいは物と物等の相関関係、共通点、人脈、繋がり等を検索する相関関係検索方法および相関関係検索システムに関するものである。本発明において、人と人、会社と会社、あるいは物と物等の相関関係、共通点、人脈、繋がり等を単に「相関関係」と記載する。
【背景技術】
【０００２】
ニューヨークの町中で、ランダムに選んだ二人の人が、どのような繋がりがあるのか実験を行った結果、最長でも６人ほど間に人が入れば、前記二人の繋がりが判る。たとえば、ニューヨークの米国人学生「アリス」と、アフリカから出て来たばかりの人「ボブ」という全く関係のない二人の間は、「アリス」の親がニュージャージ州の政治家で、この友人が国連本部に勤めていて、この友人が国連のアフリカ代表と親しく、アフリカ代表の故郷の友人の息子が「ボブ」であった、ということになる。
【０００３】
本発明は、前記のような、知らないと思っていた人間関係であっても、相関関係をたぐって行くうちに、互いに相関関係が判るようになり、ビジネスに応用することができるだけでなく、遊びとしても興味がでるものである。
【発明の開示】
【発明が解決しようとする課題】
【０００４】
従来の検索方法は、検索サイトにアクセスした後、複数のキーワードに関する情報を入力し、検索エンジンによって、前記キーワードに関連した情報を得ていた。しかし、従来の検索エンジンは、複数のキーワードのアンドまたはオアにより、関連する情報を検索することができるが、人と人、会社と会社、あるいは物と物等の相関関係を検索することができなかった。
【０００５】
以上のような課題を解決するために、本発明は、相関関係を知りたい相互の情報を基にして検索することにより、相関関係を検索することができるため、これをビジネスに活かしたり、人間の相関関係を知って楽しむことができる相関関係検索方法および相関関係検索システムを提供することを目的とする。
【課題を解決するための手段】
【０００６】
（第１発明）
第１発明の相関関係検索方法は、二つのキーワードを別々に入力することにより、予め登録された個人登録アドレスデータ、個人登録データべース、および個人公開データべースを基にして、前記二つのキーワードに関連する互いの相関関係を求めることができるものであり、前記二つのキーワードのうちの他方のキーワードにかかる登録された個人登録アドレスデータを基にして、一方の個人登録データべースの全てから相関関係があるデータを検索し、前記検索によって相関関係がある場合のデータを登録し、前記一方の個人登録データべースに相関関係のあるデータが検索されたか否かに関係なく、前記二つのキーワードのうちの他方のキーワードにかかる登録された個人登録アドレスデータを基にして、一方の個人公開データべースの全てから相関関係があるデータを検索し、前記検索によって相関関係がある場合のデータを登録し、前記一方の個人公開データべースに相関関係のあるデータが検索されたか否かに関係なく、前記二つのキーワードのうちの一方のキーワードにかかる登録された個人登録アドレスデータを基にして、他方の個人登録データべースおよび個人公開データべースの全てから相関関係があるデータを検索し、前記検索によって相関関係がある場合のデータを登録し、前記登録されたそれぞれのデータが前記二つのキーワードと相関関係にあるとして検索順に表示することを特徴とする。
【０００７】
（第２発明）
第２発明の相関関係検索方法は、二つのキーワードを別々に入力することにより、予め登録された個人登録アドレスデータ、個人登録データべース、および個人公開データべースを基にして、前記二つのキーワードに関連する互いの相関関係を求めることができるものであり、前記二つのキーワードのうちの他方のキーワードにかかる登録された個人登録アドレスデータを基にして、一方の個人登録データべースの全てから相関関係があるデータを検索し、前記検索によって相関関係がある場合のデータを登録し、前記一方の個人登録データべースに相関関係のあるデータが検索されたか否かに関係なく、前記二つのキーワードのうちの一方のキーワードにかかる登録された個人登録アドレスデータを基にして、他方の個人登録データべースの全てから相関関係があるデータを検索し、前記検索によって相関関係がある場合のデータを登録し、前記他方の個人登録データべースに相関関係のあるデータが検索されたか否かに関係なく、前記二つのキーワードのうちの他方のキーワードにかかる登録された個人登録アドレスデータを基にして、一方の個人公開データべースの全てから相関関係があるデータを検索し、前記検索によって相関関係がある場合のデータを登録し、前記一方の個人公開データべースに相関関係のあるデータが検索されたか否かに関係なく、前記二つのキーワードのうちの一方のキーワードにかかる登録された個人登録アドレスデータを基にして、他方の個人公開データべースの全てから相関関係があるデータを検索し、前記検索によって相関関係がある場合のデータを登録し、前記登録されたそれぞれのデータが前記二つのキーワードと相関関係にあるとして検索順に表示することを特徴とする。
【０００８】
（第３発明）
第３発明の相関関係検索方法は、二つのキーワードを別々に入力することにより、予め登録された個人登録アドレスデータ、個人登録データべース、および個人公開データべースを基にして、前記二つのキーワードに関連する互いの相関関係を求めることができるものであり、前記二つのキーワードのうちの一方のキーワードにかかる登録された個人登録アドレスデータを基にして、他方の個人登録データべースの全てから相関関係があるデータを検索し、前記検索によって相関関係がある場合のデータを登録し、前記他方の個人登録データべースに相関関係のあるデータが検索されるか否かに関係なく、前記二つのキーワードのうちの一方のキーワードにかかる登録された個人登録アドレスデータを基にして、他方の個人公開データべースの全てから相関関係があるデータを検索し、前記検索によって相関関係がある場合のデータを登録し、前記他方の個人公開データべースに相関関係のあるデータが検索されるか否かに関係なく、前記二つのキーワードのうちの他方のキーワードにかかる登録された個人登録アドレスデータを基にして、一方の個人登録データべースおよび個人公開データべースの全てから相関関係があるデータを検索し、前記検索によって相関関係がある場合のデータを登録し、前記登録されたそれぞれのデータが前記二つのキーワードと相関関係にあるとして検索順に表示することを特徴とする。
【０００９】
（第４発明）
第４発明の相関関係検索方法は、二つのキーワードおよび前記二つのキーワードに関連するそれぞれの検索データを別々に入力することにより、個人登録データべースおよび個人公開データべースを基にして、前記二つのキーワードに関連する互いの相関関係を求めることができるものであり、前記二つのキーワードのうちの他方または一方のキーワードに関連する検索データを入力し、前記検索データを基にして、一方または他方の個人登録データべースおよび個人公開データべースの全てから相関関係があるデータを検索し、前記検索によって相関関係がある場合のデータを登録し、前記登録されたそれぞれのデータが前記二つのキーワードと相関関係にあるとして検索順に表示することを特徴とする。
【００１０】
（第５発明）
第５発明の相関関係検索方法において、検索順に表示される検索結果には、検索の際の相関関係が付けられて表示されることを特徴とする。
【００１１】
（第６発明）
第６発明の相関関係検索方法において、個人登録アドレスデータのキーワードは、人名、会社名、役職名、職業名、商品名、物質名、あるいは相関関係を表す言葉の中の一つであることを特徴とする。
【００１２】
（第７発明）
第７発明の相関関係検索方法において、個人登録アドレスデータは、二つのキーワードを入力する際に、それぞれのキーワードを確認するために表示画面に表示できることを特徴とする。
【００１３】
（第８発明）
第８発明の相関関係検索方法において、個人登録アドレスデータは、表示画面をみながら変更することができることを特徴とする。
【００１４】
（第９発明）
第９発明の相関関係検索システムは、相関関係を検索するための二つのキーワードを別々に入力する入力手段と、検索された少なくとも一つの相関関係を表示するディスプレイと、インターネットに接続し、情報の交換が可能な接続手段と、を少なくとも有する情報処理手段；
個人登録アドレスデータ、個人登録データべース、および個人公開データべースをそれぞれを別にして蓄積するデータべース格納手段と、前記入力手段によって入力された二つのキーワードの他方の個人登録アドレスデータに関連するデータを基にして、一方の個人登録データべースおよび一方の個人公開データべースの順に相関関係を全て検索し、前記二つのキーワードの一方の個人登録アドレスデータに関連するデータを基にして、他方の個人登録データべースおよび他方の個人公開データべースの順に相関関係の全てを検索する相関関係検索手段と、前記相関関係検索手段によって検索されたそれぞれの相関関係データを登録する相関関係登録手段と、を少なくとも有することを特徴とする相関関係検索エンジン；
前記情報処理手段および前記相関関係検索エンジンに接続することができるネットワーク；
から構成されていることを特徴とする。
【００１５】
（第１０発明）
第１０発明の相関関係検索システムは、相関関係を検索するための二つのキーワードを別々に入力する入力手段と、検索された少なくとも一つの相関関係を表示するディスプレイと、インターネットに接続し、情報の交換が可能な接続手段と、を少なくとも有する情報処理手段；
個人登録アドレスデータ、個人登録データべース、および個人公開データべースをそれぞれ別にして蓄積するデータべース格納手段と、前記入力手段によって入力された二つのキーワードの他方の個人登録アドレスデータに関連するデータを基にして、一方の個人登録データべースを全て検索し、前記二つのキーワードの一方の個人登録アドレスデータに関連するデータを基にして、他方の個人登録データべースを全て検索し、前記二つのキーワードの他方の個人登録アドレスデータに関連するデータを基にして、一方の個人公開データべースを全て検索し、前記二つのキーワードの一方の個人登録アドレスデータに関連するデータを基にして、他方の個人公開データべースを全て検索して、相関関係を検索する相関関係検索手段と、前記相関関係検索手段によって検索されたそれぞれの相関関係データを登録する相関関係登録手段と、を少なくとも有することを特徴とする相関関係検索エンジン；
前記情報処理手段および前記相関関係検索エンジンに接続することができるネットワーク；
から構成されていることを特徴とする。
【００１６】
（第１１発明）
第１１発明の相関関係検索システムは、相関関係を検索するための二つのキーワードを別々に入力する入力手段と、検索された少なくとも一つの相関関係を表示するディスプレイと、インターネットに接続し、情報の交換が可能な接続手段と、を少なくとも有する情報処理手段；
個人登録アドレスデータ、個人登録データべース、および個人公開データべースをそれぞれ別にして蓄積するデータべース格納手段と、前記入力手段によって入力された二つのキーワードの一方の個人登録アドレスデータに関連するデータを基にして、他方の個人登録データべースおよび他方の個人公開データべースを全て検索し、前記二つのキーワードの他方の個人登録アドレスデータに関連するデータを基にして、一方の個人登録データべースおよび一方の個人公開データべースの順に相関関係を全て検索する相関関係検索手段と、前記相関関係検索手段によって検索されたそれぞれの相関関係データを登録する相関関係登録手段と、を少なくとも有することを特徴とする相関関係検索エンジン；
前記情報処理手段および前記相関関係検索エンジンに接続することができるネットワーク；
から構成されていることを特徴とする。
【００１７】
（第１２発明）
第１２発明の相関関係検索システムは、相関関係を検索するための二つのキーワードおよび前記二つのキーワードに関連するそれぞれの検索データを別々に入力する入力手段と、検索された少なくとも一つの相関関係を表示するディスプレイと、インターネットに接続し、情報の交換が可能な接続手段と、を少なくとも有する情報処理手段；
前記二つのキーワードに関連するそれぞれの検索データ、個人登録アドレスデータ、個人登録データべース、および個人公開データべースをそれぞれ別にして蓄積するデータべース格納手段と、前記入力手段によって入力された二つのキーワードの他方または一方に関連する検索データを基にして、一方または他方の個人登録データべース、および一方または他方の個人公開データべースを全て検索する相関関係検索手段と、前記相関関係検索手段によって検索されたそれぞれの相関関係データを登録する相関関係登録手段と、を少なくとも有することを特徴とする相関関係検索エンジン；
前記情報処理手段および前記相関関係検索エンジンに接続することができるネットワーク；
から構成されていることを特徴とする。
【００１８】
（第１３発明）
第１３発明の相関関係検索システムは、検索された相関関係の結果の数を設定する設定手段と、前記設定手段によって設定された相関関係の数が一定の範囲に達した場合、その検索結果をディスプレイに表示するように制御する相関関係検索手段制御部と、を有することを特徴とする。
【００１９】
（第１４発明）
第１４発明の相関関係検索システムは、検索の際に異なるデータべースに移るステップ数を設定する設定手段と、前記設定手段によって設定されたステップ数が一定以上に達した場合、その検索結果をディスプレイに表示するように制御する相関関係検索手段制御部と、を有することを特徴とする。
【発明の効果】
【００２０】
本発明によれば、検索サイトにおけるデータべースに、個人登録アドレスデータ、個人登録データべース、個人公開データべースとしてそれぞれ別にして蓄積し、相関関係を求める二つのキーワードを別々に入力した後、いずれか一方（他方）のキーワードに関連する個人登録アドレスデータを基にして、他方（一方）の個人登録データべースおよび個人公開データべースを片端から検索することにより、互いの相関関係データが検索され、これをビジネスに活かしたり、人間関係を知って楽しんだり、あるいは芸能人やスポーツ選手等のサインを得るための仲介人を探すといったこともできる。
【００２１】
本発明によれば、検索サイトにおけるデータべースに個人登録アドレスデータ、個人登録データべース、個人公開データべースとしてそれぞれ別にして蓄積し、相関関係を求める二つのキーワードを別々に入力した後、いずれか一方（他方）のキーワードに関連する個人登録アドレスデータを基にして、他方（一方）の個人登録データべースおよび個人公開データべースの検索順序を変えることにより、前記と多少異なる相関関係データが検索され、これをビジネスに活かしたり、人間の相関関係を知って楽しむことができる。
【００２２】
本発明によれば、予め登録された個人登録アドレスデータがなくても、二つのキーワードと、それぞれのキーワードに関連する個人情報を入力することにより、前記と同じ相関関係データが検索され、これをビジネスに活かしたり、人間関係の相関関係を知って楽しむことができる。
【００２３】
本発明によれば、個人登録データべースあるいは個人公開データべースが多くなればなるほど、相関関係の検索精度が高くなるだけでなく、検索時間が短時間になる。
【発明を実施するための最良の形態】
【００２４】
（第１発明）
第１発明の相関関係検索方法は、別々に入力された二つのキーワードの一方に関する情報に基づいて、それぞれの相関関係、たとえば、前記二つのキーワードが人の名前であった場合、二人の人脈、接点、共通点等を見つけ出すためのものである。前記のような方法で得られた相関関係は、一方の人が他方と全く関係がないと思われていたが、共通の友人、共通の趣味を有する人、会社関係等を介して知ることができる。
【００２５】
また、前記の方法で得られた相関関係は、商品の販売や事業の拡大等に利用することができる。さらに、前記の方法で得られた相関関係は、芸能人、スポーツ選手、あるいは有名人に近づく手段になることも考えられる。
【００２６】
第１発明の相関関係検索方法におけるデータべースは、大きく分けて三つから構成されている。第１のデータべースは、予め個人が登録するもので、個人を特定する情報、たとえば、氏名、国籍、住居のある都市名、職業、職種等からなる個人登録アドレスデータである。
【００２７】
第２のデータべースは、個人が積極的に登録するデータであり、公開することが前提となるものであり、出身大学、趣味、愛読書、仕事の内容等任意のデータである個人登録データべースである。第３のデータべースは、本人の意思に係わらず、公開されているデータであり、紳士録、商工団体名簿、業界名簿、出版物と著作者データ、ウエブ情報等からなる個人公開データべースである。そして、第１ないし第３のデータべースは、それぞれ別にして蓄積されている。
【００２８】
最初、第１発明の相関関係検索方法は、前記二つのキーワードのうちの他方のキーワードにかかる登録された個人登録アドレスデータを基にして、一方のキーワードにかかる個人登録データべースの全てをネズミ算方式で相関関係があるか否かを検索する。
【００２９】
前記相関関係検索方法は、検索によって相関関係がある場合のデータを登録し、前記検索において、相関関係があっても無くても、次の個人登録データべースの検索に移る。次に、前記相関関係検索方法は、前記二つのキーワードのうちの他方のキーワードにかかる登録されたアドレスデータを基にして、一方の個人公開データべースの全てから相関関係があるデータをネズミ算方式で相関関係があるか否かを検索する。
【００３０】
前記検索によって得られた相関関係は、データとして登録され、前記一方の個人公開データべースに相関関係のあるデータが検索されたか否かに関係なく次の検索に移る。次の相関関係検索方法は、前記二つのキーワードのうちの一方のキーワードにかかる登録されたアドレスデータを基にして、他方の個人登録データべースおよび個人公開データべースの全てから相関関係があるデータを検索する。
【００３１】
前記検索によって得られた相関関係は、データとして登録される。前記ステップにより登録されたそれぞれのデータは、前記二つのキーワードと相関関係にあるとして検索順に表示される。第１発明は、入力した二つのキーワードに関連がないにもかかわらず、検索途中で何らかの関係があるため、一方のキーワードから検索途中のキーワードを介して、他方のキーワードと関係していることが判る。この検索による相関関係は、ビジネスを初め友好関係の構築、あるいは遊び心としても利用できる。
【００３２】
（第２発明）
第２発明の相関関係検索方法は、二つのキーワードに基づく検索方法を他方のキーワードに基づいて一方のデータべースを検索した後、一方のキーワードに基づいて他方のデータべースを検索する点で第１発明と異なっている。すなわち、第２発明の相関関係検索方法は、前記二つのキーワードのうちの他方のキーワードにかかる登録された個人登録アドレスデータを基にして、一方の個人登録データべースの全てからネズミ算方式で相関関係があるデータを検索する。
【００３３】
第２発明の相関関係検索方法は、前記検索によって相関関係がある場合のデータを登録し、その後、前記一方の個人登録データべースに相関関係のあるデータが検索されるか否かに関係なく、前記二つのキーワードのうちの一方のキーワードにかかる登録されたアドレスデータを基にして、他方の個人登録データべースの全てからネズミ算方式で相関関係があるデータを検索する。
【００３４】
第２発明の相関関係検索方法は、前記検索によって相関関係がある場合のデータを登録し、その後、前記他方の個人登録データべースに相関関係のあるデータが検索されるか否かに関係なく、前記二つのキーワードのうちの他方のキーワードにかかる登録されたアドレスデータを基にして、一方の個人公開データべースの全てからネズミ算方式で相関関係があるデータを検索する。
【００３５】
第２発明の相関関係検索方法は、前記検索によって相関関係がある場合のデータを登録し、その後、前記一方の個人公開データべースに相関関係があるデータが検索されるか否かに関係なく、前記二つのキーワードのうちの一方のキーワードにかかる登録されたアドレスデータを基にして、他方の個人公開データべースの全てからネズミ算方式で相関関係があるデータを検索する。
【００３６】
前記検索によって得られた相関関係は、データとして登録される。前記ステップにより登録されたそれぞれのデータは、前記二つのキーワードと相関関係にあるとして検索順に表示される。第２発明は、入力した二つのキーワードに関連がないにもかかわらず、検索途中で何らかの関係があるため、一方のキーワードから検索途中のキーワードを介して、他方のキーワードと関係していることが判る点で第１発明と同じである。
【００３７】
しかし、第１発明と第２発明とは、検索の順序が異なるため、必ずしも同じ検索結果が出ない場合もあり得る。したがって、第１発明の検索と第２発明の検索の両方を行ってみるのも良い方法である。
【００３８】
（第３発明）
第３発明の相関関係検索方法は、二つのキーワードに基づく検索方法を一方のキーワードに基づいて他方のデータべースを検索した後、一方のキーワードに基づいて他方のデータべースを検索する点で第１発明と異なっている。すなわち、第３発明は、相関関係の検索方法が第１発明と逆方向から検索を行っている。
【００３９】
第３発明の相関関係検索方法は、入力された二つのキーワードのうちの一方のキーワードにかかる登録された個人登録アドレスデータを基にして、他方の個人登録データべースの全てからネズミ算方式で相関関係があるデータを検索し、前記検索によって相関関係がある場合のデータを登録する。
【００４０】
第３発明の相関関係検索方法は、前記他方の個人登録データべースに相関関係のあるデータが検索されるか否かに関係なく、前記二つのキーワードのうちの一方のキーワードにかかる登録されたアドレスデータを基にして、他方の個人公開データべースの全てからネズミ算方式で相関関係があるデータを検索し、前記検索によって相関関係がある場合のデータを登録する。
【００４１】
第３発明の相関関係検索方法は、前記他方の個人公開データべースに相関関係のあるデータが検索されるか否かに関係なく、前記二つのキーワードのうちの一方のキーワードにかかる登録されたアドレスデータを基にして、一方の個人登録データべースおよび個人公開データべースの全てからネズミ算方式で相関関係あるデータを検索し、前記検索によって相関関係がある場合のデータを登録する。 
【００４２】
前記検索によって得られた相関関係があるとして登録されたデータは、前記二つのキーワードと相関関係にあるとして検索順に表示される。第３発明は、入力した二つのキーワードに関連がないと思われていたが、検索を繰り返していくうちに、前記両者に関係がある情報を検索することができる。この検索によって得られた相関関係は、人脈となり商売の発展や多くの友人等を作ることができる。
【００４３】
（第４発明）
第４発明の相関関係検索方法は、第１発明ないし第３発明と異なり、相関関係を調べたい者が個人登録データべースを有しない例である。個人登録データべースを有しない場合、相関関係を調べたい二つのキーワードおよび前記二つのキーワードに関連するそれぞれの検索データが別々に入力される。
【００４４】
前記検索データは、たとえば、第１発明ないし第３発明における個人登録アドレスデータに相当するものであり、氏名、国籍、在住都市名、職業、職種、役職等である。相関関係検索エンジンは、前記二つのキーワードのうちの他方のキーワードに関連する検索データを基にして、一方の個人登録データべースおよび個人公開データべースの全てから相関関係があるデータを検索する。
【００４５】
次に、前記二つのキーワードのうちの一方のキーワードに関連する検索データを基にして、他方の個人登録データべースおよび個人公開データべースの全てから相関関係があるデータを検索する。前記検索によって相関関係がある場合のデータは全て登録される。
【００４６】
一方および他方に個人登録アドレスデータがない場合について説明したが、一方または他方のいずれかに個人登録アドレスデータがない場合も同様に行うことができる。また、第４発明は、個人登録データべースが両方にあるものとして説明したが、一方または他方のいずれか一方にある場合であっても同様にして相関関係を検索することができる。
【００４７】
（第５発明）
第５発明の相関関係検索方法は、個人登録アドレスデータを基にした検索において、個人登録データべースと個人公開データべースの中から検索した原因となったキーワードも検索し、前記検索順に表示される検索結果に、前記キーワードが付けられて表示される。すなわち、第５発明の検索結果は、検索されたデータ相互の関係が判り、人脈等をたどる時に参考になる。
【００４８】
（第６発明）
第６発明の相関関係検索方法において、検索のキーワードに使用される個人登録アドレスデータのキーワードは、人または会社の場合、人名、会社名、役職名、職業名、業種等であり、物である場合、商品名、物質名、あるいは相関関係を表す言葉の中の一つである。前記個人登録アドレスデータのキーワードは、相関関係を検出するために必要な最低限の情報である。
【００４９】
（第７発明）
第７発明の相関関係検索方法における個人登録アドレスデータは、検索の基になるため、二つのキーワードを入力すると同時に表示画面に表示されることにより、それぞれのキーワードを確認することができる。
【００５０】
（第８発明）
第８発明の相関関係検索方法における個人登録アドレスデータは、表示画面をみながら変更することができる。本発明の相関関係検索方法において、検索された相関関係にかかるデータを見ても満足できない場合、検索の基になるデータを変更できるため、より良い相関関係データを得ることができる。
【００５１】
（第９発明）
第９発明の相関関係検索システムは、情報処理手段と、データべース格納手段、相関関係検索手段、および相関関係登録手段からなる相関関係検索エンジンと、前記情報処理手段および前記相関関係検索エンジンに接続することができるネットワークとから構成されている。
【００５２】
前記情報処理手段は、相関関係を検索するための二つのキーワードを別々に入力する入力手段と、検索された少なくとも一つの相関関係を表示するディスプレイと、インターネットに接続し、情報の交換が可能な接続手段とを少なくとも有するもので、通常使用しているパーソナルコンピュータである。
【００５３】
データべース格納手段は、氏名、国籍、在住都市名、職業、職種、役職等、個人が予め登録した個人登録アドレスデータ、個人が積極的に公表することを認めた個人登録データべース、および個人の意思にかかわらずウエブ等でだれでもが知り得る個人公開データべースが蓄積されている。
【００５４】
相関関係検索手段は、前記入力手段によって入力された二つのキーワードの他方の個人登録アドレスデータに関連するデータを基にして、一方の個人登録データべース、および一方の個人公開データべースを全て検索する。次に、前記相関関係検索手段は、前記二つのキーワードの一方の個人登録アドレスデータに関連するデータを基にして、他方の個人登録データべース、および他方の個人公開データべースの順に相関関係を全て検索する。
【００５５】
前記相関関係登録手段は、前記相関関係検索手段によって検索されたそれぞれの相関関係データを登録する。前記登録された相関関係データは、ネットワークに接続されたサイトから前記情報処理手段における表示手段に表示される。
【００５６】
（第１０発明）
第１０発明の相関関係検索システムは、検索の順序が第９発明と異なっている。第１０発明の相関関係検索手段は、まず、入力手段によって入力された二つのキーワードの他方の個人登録アドレスデータに関連するデータを基にして、一方の個人登録データべースを全て検索する。次に、前記相関関係検索手段は、前記二つのキーワードの一方の個人登録アドレスデータに関連するデータを基にして、他方の個人登録データべースを検索する。
【００５７】
さらに、前記相関関係検索手段は、前記二つのキーワードの他方の個人登録アドレスデータに関連するデータを基にして、一方の個人公開データべースを検索し、前記二つのキーワードの一方の個人登録アドレスデータに関連するデータを基にして、他方の個人公開データべースを検索する。前記相関関係検索手段は、検索されたそれぞれの相関関係データを相関関係登録手段に登録する。
【００５８】
（第１１発明）
第１１発明の相関関係検索システムは、検索の順序が第９発明および第１０発明と異なっている。第１１発明の相関関係検索手段は、まず、入力手段によって入力された二つのキーワードの一方の個人登録アドレスデータに関連するデータを基にして、他方の個人登録データべース、および他方の個人公開データべースを全て検索する。
【００５９】
前記相関関係検索手段は、前記二つのキーワードの他方の個人登録アドレスデータに関連するデータを基にして、一方の個人登録データべース、および一方の個人公開データべースの順に相関関係を全て検索し、相関関係登録手段に検索順に登録する。
【００６０】
（第１２発明）
第１２発明の相関関係検索システムは、相関関係を検索する際に個人登録アドレスデータがない点で、第９発明ないし第１１発明と異なっている。すなわち、第１２発明の相関関係検索システムにおける相関関係検索手段は、個人登録アドレスデータがないので、検索に際して、二つのキーワードに関連する検索データを入力手段から別々に入力する。
【００６１】
前記相関関係検索手段は、入力手段によって入力された二つのキーワードの他方または一方に関連する検索データを基にして、一方または他方の個人登録データべース、および一方または他方の個人公開データべースを全て検索する。前記検索の結果は、相関関係登録手段に登録する。登録された相関関係データは、第９発明ないし第１１発明と同様に、サイトにアクセスしたパーソナルコンピュータの表示手段に表示される。
【００６２】
（第１３発明）
第１３発明は、相関関係データの表示手段に表示する数を設定する設定手段および相関関係検索手段制御部を少なくとも備えている。また、前記相関関係検索手段制御部は、前記設定手段によって設定された相関関係の数が一定の範囲に達した場合、その結果をディスプレイに表示するように制御する。第１３発明は、検索結果の数を一定範囲に制限するものである。
【００６３】
（第１４発明）
第１４発明の相関関係検索システムは、検索の際に異なるデータべースに移るステップ数を設定する設定手段と、前記設定手段によって設定されたステップ数が一定以上に達した場合、その結果をディスプレイに表示するように制御する相関関係検索手段制御部とを有する。
【００６４】
たとえば、最初のデータべースに１００個のデータがあったとすると、その１００のデータにさらに１００個のデータがあると仮定し、これらを次々に検索し、ステップを６回繰り返したとする。この時の計算は、（１０2 ×１０2 ×１０2 ×１０2 ×１０2 ×１０2 ＝１０12）となり、１０００億となり、世界の全人口および会社、団体をほぼ包含する。
【００６５】
第１４発明は、検索された相関関係の結果の数および異なるデータべースに移るステップ数が増加すると、検索に時間がかかるため、前記ステップ数を制限するとともに、予め設定手段によって設定された範囲の数の相関関係が検索された場合に、相関関係検索手段制御部によって、検索結果をディスプレイに表示させようとするものである。相関関係検索手段によって、人の相関関係が検索されない場合は、「全て人類」と表示させる。すなわち、人の場合、誰でもが人類ということで共通しているからである。
【実施例１】
【００６６】
図１は本発明の相関関係検索システムにおけるデータべースの格納態様を説明するためのブロック構成図である。図１において、相関関係検索システムは、ウエブのサイトの一つを構成する相関関係検索エンジン１１と、前記相関関係の検索を行うデータべース１２と、前記相関関係検索エンジン１１とネットワークによって接続できる情報処理手段１３と、前記情報処理手段１３によって検索された結果を表示するディスプレイ１４とから構成されている。
【００６７】
前記相関関係検索エンジン１１には、相関関係検索手段１１１があり、データべース１２を含めることも、外部に設けることも可能である。また、データべース１２は、一部の情報を相関関係検索エンジン１１のデータべースとして、その他の情報をウエブに求めることも可能である。
【００６８】
図２は本発明におけるデータべースの一実施例で、具体的な個人登録アドレスデータ、個人登録データべース、個人公開データべースを説明するための図である。図２において、個人登録アドレスデータは、相関関係を求めるために、個人が積極的に登録するアドレスデータであり、個人を特定するため、および検索の基にするためのデータである。前記個人登録アドレスデータは、たとえば、氏名、国籍、在住都市名、職業、職種、役職等である。前記個人登録アドレスデータが会社の場合には、たとえば、会社名、登記している都市名、業種等がある。
【００６９】
前記個人登録データべースは、公表を条件にしたデータであり、相関関係を知りたいために入力するものである。前記個人登録データべースは、たとえば、出身大学名、趣味、仕事内容等で、個人が望めば、何を入力しても自由である。前記個人登録データべースが会社の場合には、たとえば、扱い製品、取引銀行、取引会社、コンサルタント名等がある。個人公開データべースは、個人の意思に関係なく公表されているデータである。前記個人公開データべースは、たとえば、紳士録、会社年鑑、書籍名と著者名の一覧、各種名簿、公報類等の情報、あるいは、セミナー名とその出席記録等である。
【００７０】
図１に示したデータべースは、アルファベットのＡ（ａ）ないしＺ（ｚ）のみが記載されているが、特にアルファベットやその数に関係がなく、ほとんど無限にある。つまり、前記相関関係検索手段１１１は、サイトに設けられたデータべース１２以外に、ホームぺージにもアクセスしてデータを収集することができるようになっている。
【００７１】
たとえば、個人Ａのデータべースは、個人登録アドレスデータ、個人登録データべース、個人公開データべースが一纏めになって、別々にサイトに記憶されている。なお、個人登録アドレスデータおよび個人登録データべースの内容は、全く個人の意思に基づくものであり、図２に示されたものに限定されない。
【００７２】
図３は本発明の一実施例で、相関関係検索エンジンの詳細の一例を説明するためのブロック構成図である。図３において、相関関係検索エンジンは、相関関係入出力手段３１と、データべース３２と、個人データべース検索手段３３と、相関関係登録手段３４と、相関関係判定・経路抽出手段３５と、判定結果送出手段３６と、相関関係検索手段制御部３７と、設定記憶部３８と、相関関係検索結果設定部３９と、相関関係検索ステップ設定部４０とから構成されている。
【００７３】
前記相関関係入出力手段３１は、図１に示す情報処理手段１３の入力手段によって入力されたキーワード等が入力されると同時に、相関関係の検索結果をディスプレイ１４に直接表示するためのデータを送出することもできる。データべース３２は、前述のように、図１および図２に示されたデータべース１２が格納されている。個人データべース検索手段３３は、前記データべース３２に格納されたデータべース１２から、後述のようにして所望のデータを検索する手段である。
【００７４】
相関関係登録手段３４は、個人データべース検索手段３３により検索された相関関係データを一時的に登録するための手段である。相関関係判定・経路抽出手段３５は、前記相関関係登録手段３４に登録されたそれぞれの相関関係データを相関関係があると判定するとともに、登録順に抽出する。また、前記相関関係判定・経路抽出手段３５は、前記相関関係となるキーワードを抽出できるようにすることができる。
【００７５】
前記判定結果送出手段３６は、前記相関関係判定・経路抽出手段３５によって抽出された相関関係データ、および経路データ等を判定結果として情報処理手段１３に送出する。相関関係検索手段制御部３７は、相関関係検索エンジンの各ブロックを制御するためのものである。
【００７６】
前記設定記憶部３８は、必要に応じて設けられるものであり、後述の設定を記憶しておくためのものである。相関関係検索結果数設定部３９は、相関関係の数が多過ぎ、また、その検索時間が長すぎるのを防ぐものであり、たとえば、３ないし５程度の相関関係に絞ることができる。相関関係検索ステップ設定部４０は、データべースから異なるデータべースに移るときを１ステップとした場合、ステップ数が増加すると、検索に係る時間がかかり過ぎるため、ステップ数を２ないし５程度に限定するためのものである。
【００７７】
図４は本発明の一実施例で、相関関係検索の手順例を示す概略のフローチャートである。図５（イ）および（ロ）は相関関係を検索する際のディスプレイに表示される一例を説明するための図である。図３ないし図５にしたがって相関関係検索方法を説明する。図５（イ）に示すように、情報処理手段１３（図１参照）は、図示されていないネットワークを介して、相関関係検索サイトにアクセスすることにより接続される。
【００７８】
前記個人データべース検索手段３３は、前記情報処理手段１３から相関関係の検索であると判断して、情報処理手段１３に対して、相関関係検索ディスプレイ画面を送信する。前記情報処理手段１３のユーザは、前記画面を見て、相関関係の調査を行うためのキーワードとなる、たとえば、図５（イ）に示すように、二人の氏名を別々に入力する（ステップ４１、４２、図４参照）。
【００７９】
前記個人データべース検索手段３３は、個人登録アドレスデータからそれぞれの個人アドレスを情報処理手段１３のディスプレイに表示させる（ステップ４３、４４、図４参照）。前記ディスプレイに表示された個人登録アドレスデータは、前記キーワードである二人の氏名に関するデータであるか否かを確認するためのものである。また、個人登録アドレスデータのない者の相関関係を検索する場合は、前記ディスプレイの画面に相関関係の基になるデータを入力することもできる。
【００８０】
次に、個人データべース検索手段３３は、一方の個人登録アドレスデータを基にして、他方の個人登録データべースに対して相関関係があるか否かを検索する（ステップ４５）。前記検索は、前記個人登録データべースに相関関係があるデータがあった場合、相関関係登録手段３４にそのデータを登録する（ステップ４６）。前記相関関係のデータは、検索順序や検索されたキーワード等も登録される。
【００８１】
前記検索は、相関関係が検索されても、されなくても、他の個人登録データべースに対して相関関係の検索を続け、検索結果を相関関係登録手段３４に登録する（ステップ４７）。また、前記検索は、全ての個人登録データべースに対して次々と検索を行い、前記同様に相関関係のあったデータを相関関係登録手段３４に登録する。
【００８２】
前記検索は、全ての個人登録データべースの検索が終了した後、個人公開データべースに対して、相関関係があるか否かを調べる（ステップ４８）。相関関係があるデータは、前記同様に相関関係登録手段３４に登録される。前記個人登録データべースの数は、相関関係検索サイトに登録されているものだけでも、かなりの数がある。個人公開データべースは、相関関係検索サイトに登録されているものと、ホームぺージにあるものも含むため、検索に時間がかかる。
【００８３】
前記相関関係登録手段３４に登録された相関関係は、前記と同様に、別の個人登録データべースとの相関関係を前記個人登録アドレスデータに基づいて検索される。前記相関関係は、前記と同様に、個人公開データべースについても検索する。情報処理手段１３のディスプレイ１４には、二つのキーワードに係る相関関係が検索されたものを少なくとも一つ表示される。
【００８４】
前記膨大な検索時間を短くするために、相関関係検索結果数設定部３９および相関関係検索ステップ設定部４０が設けられている。また、相関関係検索ディスプレイ（図５（イ））には、相関関係数の入力およびステップ数の入力画面があり、検索時間を考慮して、その数を入力することができる（ステップ５０、図４参照）。ステップ４８において、各データべースを検索した結果、相関関係データがないと判断された場合、相関関係の表示（ステップ４９）は、人がキーワードで検索した場合、「人類」と表示される。
【実施例２】
【００８５】
図５（イ）および（ロ）は、相関関係検索ディスプレイの検索画面である。加藤  光夫は、マイクロソフト社にソフトウエアを売り込みたいと考えていたとする。しかし、「加藤  光夫」と「ビル・ゲイツ」とは関係が全くない。そこで、加藤  光夫は、相関関係検索サイトにアクセスして、図５（イ）の相関関係検索ディスプレイの検索画面を表示させて、「ビル・ゲイツ」との相関関係を調べることにした。先ず、加藤  光夫は、自分の氏名と、「ビル・ゲイツ」を図５（イ）に示すように入力する。
【００８６】
「加藤  光夫」と「ビル・ゲイツ」を入力することにより、個人データべース検索手段３３は、二人の個人登録アドレスデータである「日本、東京、フーズデザイン（会社名）」と、「ビル・ゲイツ」「米国、シアトル、マイクロソフト」を個人登録データべースから検索し、画面に表示する。「ビル・ゲイツ」の個人登録アドレスデータが判らない場合、加藤  光夫は、勝手に「シアトル、マイクロソフト」を入力することもできる。なお、国籍と都市名は、同姓同名を区別するためのものであり、アドレスの確認に必要なものである。
【００８７】
前記個人データべース検索手段３３は、「ビル・ゲイツ」のアドレスである「シアトル」と「マイクロソフト」を基にして、加藤  光夫の個人登録データべースを検索する。加藤  光夫の個人登録データべース（自分で登録している）には、高校時代体操部で一緒だったシアトル在住の「並木  俊明」があった。このため、前記個人データべース検索手段３３は、前記「ビル・ゲイツ」のアドレスにより、「並木  俊明」が相関関係データとして相関関係登録手段３４に登録される。
【００８８】
個人データべース検索手段３３は、次々と個人登録データべースを検索して行くうちに、「並木  俊明」の個人登録データべースも検索する。「並木  俊明」の個人登録データべースには、シアトルで「○○寿司」に良く行き、その主人と仲が良いという情報があったとする。前記「○○寿司」の個人登録データべースには、顧客のリストとして、ビル・ゲイツが来たことがあるというデータがあったとする。
【００８９】
すなわち、前記検索結果は、図５（ロ）に示すように、「加藤  光夫」→「並木  俊明」→「○○寿司主人」→「ビル・ゲイツ」という相関関係が判る。そして、「加藤  光夫」と「並木  俊明」は、高校の体操部で、「並木  俊明」は、「○○寿司」の顧客であり、「○○寿司」と「ビル・ゲイツ」は、前記と同じ顧客であることが判る。
【００９０】
図５（ロ）の相関関係検索ディスプレイにおける検索結果の(2) は、異なる検索方法によるものである。検索結果の(1) と異なるのは、検索の方向である。たとえば、検索結果の(1) は、「ビル・ゲイツ」の個人登録アドレスデータを基にして「加藤  光夫」の個人登録データべースおよび個人公開データべースを調べているのに対して、検索結果の(2) は、「加藤  光夫」の個人登録アドレスデータを基にして、「ビル・ゲイツ」の方向から検索を行っている。図５（ロ）における検索結果の(3) は、「加藤  光夫」と「ビル・ゲイツ」の両方から検索を進めた結果である。
【実施例３】
【００９１】
図６（イ）および（ロ）は二つの企業名をキーワードにした相関関係検索ディスプレイの検索画面である。図６（イ）において、検索画面には、「相関関係の調査を行う二社の企業名を入力して下さい。」というメッセージが出る。前記企業名として、「明星豆腐」および「四季工場」を入力したとする。
【００９２】
次に、「アドレスをご確認ください。（変更もできます。）」というメッセージが出る。個人データべース検索手段３３は、「明星豆腐」の個人データべースから(1) 「明星豆腐株式会社」、(2) 「東京都」、(3) 豆腐製造業が検索される。次に、前記個人データべース検索手段３３は、「四季工場」の個人データべースから(1) 「株式会社四季工場」、(2) 「長野県」、(3) 「醤油製造業」が検索される。
【００９３】
次に、必要があれば、ステップ数（たとえば、一つのデータべースの塊から他のデータべースの塊へ移行することをステップとする）および相関関係数（相関関係登録手段３４に登録される相関関係の数）を入力して、設定ボタンを押した後、検索開始ボタンを押す。
【００９４】
検索結果(1) について説明する。検索結果(1) において、個人データべース検索手段３３は、「四季工場」の個人登録アドレスデータ「醤油製造業」というキーワードを基にして、「明星豆腐」の個人登録データべースおよび公開データべースが検索される。前記検索によって、「明星豆腐」は、食品に関するコンサルタント「株式会社フーズデザイン」と契約を結んでいることが判った。
【００９５】
次に、個人データべース検索手段３３は、前記「四季工場」の個人登録アドレスデータ「醤油製造業」というキーワードを基にして、「明星豆腐」の個人登録データべースおよび公開データべースが検索される。前記検索によって、「四季工場」は、「株式会社フーズデザイン」と製品開発契約を結んでいることが判った。
【００９６】
相関関係の検索結果(1) は、「明星豆腐」→「株式会社フーズデザイン」→「四季工場」となり、「明星豆腐」と「四季工場」とは、コンサルタント契約および製品開発契約によって「株式会社フーズデザイン」を介して結ばれていることになる。
【００９７】
検索結果(2) について説明する。相関関係の検索結果(2) において、個人データべース検索手段３３は、「明星豆腐」の個人登録アドレスデータである「豆腐製造業」を基にして「四季工場」の個人登録データべースおよび個人公開データべースを検索する。「四季工場」は、従業員のユニホームを「サイエンス」という会社に納品させていることが判った。
【００９８】
また、個人データべース検索手段３３は、前記「サイエンス」という会社の個人データべースおよび個人公開データべースを検索すると、前記「サイエンス」という会社が「明星豆腐」のユニホームを納品していることが判った。「四季工場」は、ユニホームの納品ということで、「サイエンス」を介して「明星豆腐」と同じ関係にあることが判る。
【００９９】
検索結果(3) について説明する。相関関係の検索結果(3) において、個人データべース検索手段３３は、「四季工場」の個人登録アドレスデータである「豆腐製造業」を基にして「明星豆腐」の個人登録データべースおよび個人公開データべースを検索する。「明星豆腐」は、豆腐協会のリストに載っている豆腐協会員であることが判った。
【０１００】
また、個人データべース検索手段３３は、前記「明星豆腐」の個人登録アドレスデータである「豆腐製造業」というキーワードを基にして、「四季工場」の個人データべースおよび個人公開データべースを検索すると、前記「トーヨー新報」を購読していることが判った。個人データべース検索手段３３は、「トーヨー新報」の取材リストの中に「豆腐協会」が入っていることが検索により判った。
【０１０１】
検索結果(3) は、「明星豆腐」が協会リストにより「豆腐協会」と相関関係があり、「豆腐協会」が「トーヨー新報」の取材リストにあり、「四季工場」が購読リストにより「トーヨー新報」と相関関係があることが判った。「明星豆腐」は、検索結果(1) ないし(3) を見て、「株式会社フーズデザイン」を介して豆腐用醤油の開発を依頼することにした。
【０１０２】
図７は本発明の一実施例の個人登録アドレスデータを説明するための図である。図７は、前述のような、「加藤  光夫」と「ビル・ゲイツ」に関する個人登録アドレスデータを示しているが、登録されていない場合、勝手に入力することもできる。
【０１０３】
図８は本発明の一実施例で個人登録情報を説明するための図である。図８において、「加藤  光夫」は、個人登録アドレスデータとして、たとえば、「Ａ−１」から「Ａ−ｎ」まであるとする。ただし、ｎの数は特に限定されない正の整数である。前記「Ａ−１」に基づく個人登録データべースは、「Ａ−１−１」・・・「Ａ−１−n 」、「Ａ−１−２」・・・「Ａ−２−n 」・・・「Ａ−ｎ−ｎ」となる。さらに、「Ａ−１−１」に基づく個人登録データべースは、「Ｂ−１」・・・「Ｂ−ｎ」・・・とネズミ算式に無限に近い。
【０１０４】
図９は本発明の一実施例で個人登録情報を説明するための図である。図９において、「ビル・ゲイツ」は、個人登録アドレスデータとして、たとえば、「ａ−１」から始まり、データべースとして、前述のようにネズミ算式に検索を行って行く。
【産業上の利用可能性】
【０１０５】
以上、本発明の実施例を詳述したが、本発明は、前記実施例に限定されるものではない。そして、本発明は、特許請求の範囲に記載された事項を逸脱することがなければ、種々の設計変更を行うことが可能である。図におけるブロックは、公知または周知の技術を使用して達成できるものである。本発明は、最初、個人登録データべースが少ないが、利用者が増えるごとに個人登録データべースが多くなり、個人公開データべースと合わせて検索結果が得られる。
【図面の簡単な説明】
【０１０６】
【図１】本発明の相関関係検索システムにおけるデータべースの格納態様を説明するためのブロック構成図である。（実施例１）
【図２】本発明におけるデータべースの一実施例で、具体的な個人登録アドレスデータ、個人登録データべース、個人公開データべースを説明するための図である。
【図３】本発明の一実施例で、相関関係検索エンジンの詳細の一例を説明するためのブロック構成図である。
【図４】本発明の一実施例で、相関関係検索の手順例を示す概略のフローチャートである。
【図５】（イ）および（ロ）は相関関係を検索する際のディスプレイに表示される一例を説明するための図である。（実施例２）
【図６】（イ）および（ロ）は二つの企業名をキーワードにした相関関係検索ディスプレイの検索画面である（実施例３）
【図７】本発明の一実施例の個人登録アドレスデータを説明するための図である。
【図８】本発明の一実施例で個人登録情報を説明するための図である。
【図９】本発明の一実施例で個人登録情報を説明するための図である。
【符号の説明】
【０１０７】
１１・・・相関関係検索エンジン
１１１・・・相関関係検索手段
１２・・・データべース
１３・・・情報処理手段
１４・・・ディスプレイ
３１・・・相関関係入出力手段
３２・・・データべース
３３・・・個人データべース検索手段
３４・・・相関関係登録手段
３５・・・相関関係判定・経路抽出手段
３６・・・判定結果送出手段
３７・・・相関関係検索手段制御部
３８・・・設定記憶部
３９・・・相関関係検索結果数設定部
４０・・・相関関係検索ステップ設定部
【図１】
2005085172.tif 000003
【図２】
2005085172.tif 000004
【図３】
2005085172.tif 000005
【図４】
2005085172.tif 000006
【図５】
2005085172.tif 000007
【図６】
2005085172.tif 000008
【図７】
2005085172.tif 000009
【図８】
2005085172.tif 000010
【図９】
2005085172.tif 000011